【手続補正書】
【提出日】平成20年6月3日(2008.6.3)
【手続補正１】
【補正対象書類名】明細書
【補正対象項目名】全文
【補正方法】変更
【補正の内容】
【書類名】      明細書
【発明の名称】      杖の支持装置
【特許請求の範囲】
【請求項１】  立て掛けなどした杖が不安定で倒れてしまうのを防止する手段において、杖本体の所定位置に取り付けられる取付部と、取付部に回動自在に取り付けられ該取付部を基点として所定角度で左右に開き、立て掛け場所でこの杖の安定支持を可能とする複数の支持アームと、該支持アームに所要の動作を行わせるための作動装置と、を備えたことを特徴とする杖の支持装置。
【請求項２】  取付部が、作動時に支持アームが該取付部を基点とし略直角方向で水平に左右に開くとき左右の支持アーム間で所定角度を構成し、非作動時には支持アームが杖本体に沿うように設定を可能とする支持アームの取付板を設けたことを特徴とする請求項１記載の杖の支持装置。
【請求項３】  取付部を、杖本体の外径諸条件に関わらず固定取り付けが調節可能で構成し,かつ着脱可能としたことを特徴とする請求項１又は２記載の杖の支持装置。
【請求項４】  支持アームが、立て掛け場所などに当接させるときの接触に有効な静止摩擦力発生可能とする摩擦材で、かつ僅かの圧力でも変形し易い形態を有することで該摩擦力を高める部材を先端部分に構成したことを特徴とする請求項１又は２記載の杖の支持装置。
【請求項５】  作動装置が、杖を挿通して上下に可動のパイプ状で、左右の支持アームに自在連結するロッドが回動自在取り付けられるロッド取付部及び手動用の手掛け部が一体形成される起動部と、左右支持アームを起伏回動させるためのロッドと、左右の支持アームを起立させ支持アーム間を所定の角度で開かせるために上昇する起動部の上限位置を決めるため杖本体に固定されるストップ板と、左右の支持アームを杖本体に沿って静止させるために下降する起動部の下限位置を決めるため杖本体に固定される停止部と、起動部に取り付けられ停止部の上下端を介して該起動部の昇降におけるそれぞれの停止位置が維持できるようにしかつ節度感覚を得るため、停止部の上下端に掛かる突起部が所定の間隔を有して設けられる板スプリングと、を備えて構成したことを特徴とする請求項１，２又は４記載の杖の支持装置。
【発明の詳細な説明】
【０００１】
【発明が属する技術分野】
本発明は、歩行補助用の杖で、非使用時に立て掛けた杖が倒れないようにするため、杖に取り付けられる杖の支持装置に関するものである。
【０００２】
【従来の技術】
一般に杖は、杖本体の上端に設けられる握り柄を有し、握り柄を握り杖本体の下端を接地させることで歩行を補助している。杖は歩行が不自由な人にとっては、日常生活に欠かせない生活必需品として多く実用に供されている。
【０００３】
しかし、特殊杖、例えば複数点接地仕様で杖自体が直立することで歩行困難な使用者を支える杖などは別として、通常一般に使用される一点接地の杖については使用者がちょいとした用事や作業などで両手を自由にしたくて、身体面にちよっと寄り掛けたり、又近くの壁面などに立て掛けたとき、僅かな身体の動きやその置き方で不安定になり滑るなどして床に倒れてしまうことが多いので、使用者は自身は勿論、周囲にも気を使い何かと煩わしいものであった。
【０００４】
【発明が解決しようとする課題】
解決しようとする問題点は、杖の非使用時に、杖を身体や近くの壁面などに立て掛けたとき、その杖が倒れ難く安定させる支持装置で、かつその支持装置の操作が簡単にでき、杖としての使用感覚を損なうことのないというシンプルで簡便な機能がない点である。
【０００５】
【課題を解決するための手段】
本発明は、杖の支持装置において、杖本体の所定位置に着脱可能で取り付けられる取付部に、先端部が有効な摩擦材で形成される支持アームを該取付部を基点としそれぞれに回動可能で取り付け、杖の支持形態に有効な状態とするために、取付部と略直角方向の位置で水平に左右支持アームの先端部が所定角度で開く開脚状態であるようにし、かつ閉じる際は下垂して杖本体に沿うことのできるように、左右支持アーム間角度を設定しておく。
そして、取付部の下側に杖本体を挿通して手動操作で上下に可動で、支持アームとの間を自在連結するロッドを介して該支持アームが所定の作動を可能とする起動部を設ける。その際、左右支持アームに所要とする所定の回動を設定するため、起動部の上昇時における上限位置を定めるストップ板と、下降時における下限位置を定める停止部をそれぞれ杖本体に固定する。
停止部の上下端部を介して、該起動部操作におけるそれぞれの停止位置を維持しかつ作動時における若干の抵抗及び節度感覚を構成するため、停止部の上下端部に掛かる若干高さの突起部を所定の間隔で設ける板スプリングを起動部に取り付ける、などを最も主要な特徴とする。
【０００６】
【発明の実施の形態】
杖の非使用時において、簡単な操作で取付部を基点とし略水平で所定角度で左右に開く支持アームの摩擦材を備える先端部が立て掛け場所に開脚状態で当接することにより、該杖を安定して支え倒れ難くした。
更に、この支持装置の構造をシンプルに簡便なものとすることで、杖の使用時における杖の使用感覚に違和感を感じさせないという目的を実現した。
【０００７】
【実施例】
図１〜４は、本発明装置の一実施例における説明図であって、図５は同様で使用の状態を示す斜視図である。また、１は杖本体、２は握り柄、１０は立て掛け場所である。
以下図面に基づき、実施例について詳細に説明する。
【０００８】
取付部３は、支持アーム４を起立回動自在に取り付けるための取付板３’を所定の角度で一方の外周部に一体構成するパイプ状で剛性の弾性材からなり、杖本体１を挿通し着脱可能であるが、開放されたもう一方側はビスなどで杖本体に締め付け固定ができるように構成されている。
なお、取付部３は、握り柄２の下側で杖の使用にあたり支障がない位置に取り付けられる。
取付部３の一方の外周部に例えば約７５〜８５度の取り付け間隔で一体構成される取付板３’は、取付板３’に設けられるピン３”を軸として回動自在の支持アーム４が起立状態で該取付部３と略直角方向で水平状態のとき、この取付部３を基点として支持アーム４の先端部が所定の角度で左右に開くように構成され、下垂状態の場合は杖本体１に沿って静止できるように取付設定されている。
【０００９】
支持アーム４は、立て掛け場所１０に当接する先端部に有効な摩擦力発生可能とする摩擦材４’で、例えば僅かの圧力で変形し易いリング状に先端部を形成することで、立て掛け場所１０面における静止支持機能を更に高めることができるようになされている。
なお、支持アーム４には、ピン３”寄りの所定位置にロッド６を回動自在に取り付けるためのロッド取付穴６”が設けられている。
【００１０】
起動部５は杖本体１を挿通して上下に可動とし、左右支持アーム４とそれぞれに連結するロッド６を回動自在で取り付ける左右のロッド取付部６’を、取付部３に設けられる左右の取付板３’と同じ側で同様角度をもって一方の外周部の定位置に一体構成するパイプ状で形成されている。
そして、支持アーム４に設けられるロッド取付穴６”とロッド取付部６’の間をロッド６で自在連結し、起動部５の杖本体１を軸とする上下動作でロッド６を介し左右の支持アーム４を杖本体１に沿って所要の起伏動作ができるようになされている。
なお、この上下動作の操作を容易にするための手掛け部５’が起動部５端部の所定位置に設けられている。
【００１１】
ストップ板７は、支持アーム４が起立し所要とする所定位置で左右に開くときの起動部５における上昇時の上限位置を決めるもので、取付部３の下側所定位置で杖本体１に固定取り付けされている。
停止部８は、杖の非使用時に支持アーム４が下垂し杖本体１に沿って静止される時の起動部５における下降時の下限位置で杖本体１に固定取り付けされている。
そして、起動部５の上下動作におけるそれぞれの停止位置において所要とする維持機能と、動作時における若干の抵抗からなる節度感覚を構成するため、停止部８の上下端それぞれに掛かる若干高さの突起部９’、９”を所定間隔で構成する板スプリング９が、その所要とするばね機能を妨げることなく起動部５に固定取り付けされている。
突起部９”は起動部５の上昇上限位置で停止部８の上端に掛かるもので、突起部９’は起動部５の下降下限位置で停止部８の下端に掛かるものである。
なお、停止部８の上下端には板スプリング９に設けられる突起部９’、９”における掛止機能を損なわない程度に若干のテーパ加工がなされるテーパ部８’が設けられている。
【００１２】
このようにしておくと、使用者が杖を一時手放そうとするとき、先ず起動部５の手掛け部５’によって該起動部５を上に停止するまで引き上げる。
その時、起動部５に取り付けられている板スプリング９は停止部８下端のテーパ部８’にある突起部９’が停止部８を乗り越えて上昇し起動部５の上端部がストップ板７に当接と同時に今度は突起部９”が停止部８上側のテーパ部８’に落ち着くので、若干の抵抗と節度感をもって移動する起動部５が停止固定されると同時に支持アーム４が所定角度で左右に水平に開くので、開脚した支持アーム４に先端部を身体又は壁面に立て掛ければよい。
そのとき、開いた左右の支持アーム４の先端部の摩擦材４’を介し身体又は壁面に杖をなるべく略直角方向でかつ若干の傾斜状態で寄り掛かるように立て掛けるようにする。
杖を通常で使用する場合には、起動部５を手掛け部５’により若干の力で押し下げればよい。
起動部５が下降し板スプリング９に設けられる突起部９’、９”と停止部８及びテーパ部８’などからなる所定機能により停止固定されると同時に左右の支持アーム４は杖本体１の軸に沿って下垂し静止固定されるので、該杖の通常使用に際して支障となることはない。
【００１３】
なお、本発明装置は上記実施例に限定されなければならない理由はなく、例えば支持アーム４を所定角度で回動自在に備える取付部３や、ロッド６を介し支持アーム４を所定の作動をさせるための起動部５及びストップ板７、停止部８などからなる作動装置等それぞれの構成が他の形状のものであっても、非使用時の杖を支持するために支持アーム４を取付部３と略直角方向で水平に所定角度で左右に開き、非使用時は杖の使用感覚を損なうことなく下垂させ杖本体１に沿って静止させるなどを可能とする機能を構成する機能が、上記実施例における各条件を具備するものであれば良いということはいうまでもない。
【００１４】
【発明の効果】
以上説明した本発明の杖の支持装置について、次に記載する効果を奏する。
【００１５】
請求項1の杖の支持装置について、立て掛ける杖の支持を可能にするために、杖本体に取り付けられる取付部を基点として左右に開く支持アームは、杖の非使用時において杖を立て掛け場所などに立て掛けた際の杖の状態を安定なものにし倒れ防止に効果が大きい。またこの支持アームの所望の作動を行うための作動装置は利便性に優れている。
【００１６】
請求項２の取付部を、作動時に該取付部を基点とし略直角方向で水平に左右に開くときの左右支持アーム間の所定角度を構成し、かつ非作動時には杖本体に沿って下垂静止の状態を可能とする左右の取付板を備え、取り付ける支持アームを起伏自在可能としたことは、取付部における支持アームの所定の作動を常に安定なものにし、かつ杖に備える支持アームなどの装置を簡易化してスリムとすることで、通常使用における杖の使用感覚を損なうことがないという大きな利点がある。
【００１７】
請求項３の取付部を、杖の外径諸条件での取り付け及び着脱可能としたことは利便性が大きい。
【００１８】
請求項４の支持アームを、立て掛け場所などに当接させるときの接触に有効な静止摩擦力発生可能とする摩擦材を用いかつ変形し易い形態で摩擦力を高めるとしたことは、支持アームの立て掛け場所における支持維持能力を高めるのに大いに役立つ。
【００１９】
請求項５の作動装置を、杖本体を挿通して上下に可動で、回動自在に取り付けるロッドを介して支持アームに所定の作動を行う手動の起動部と、左右の支持アームを起立させたとき所定の位置を決めるためのストップ板と支持アームを引き下げて杖本体に沿って静止する状態を決めるための停止部などを設け、停止部の上下端を介し起動部のそれぞれの所定位置を維持し、かつ若干の抵抗感覚及び節度感を構成するための突起部を所定間隔で設ける板スプリングからなるばね機構を起動部に備えて構成したことは、取付部に備える支持アームの所望の作動を確実に実施可能とし、かつ所要とする操作が簡単に容易にできるという機能性に優れている。
【図面の簡単な説明】
【図１】
本発明装置の一実施例で、支持アーム４を取り付ける取付部３と起動部５及びロッド６などからなる作動装置の取り付け状態を示す説明図である。
【図２】
杖に取り付けられた取付部３及び支持アーム４などの構成を示す上面図である。
【図３】
本発明装置の一実施例で、起動部５が下降して停止部８に接して停止し、同時に板スプリング９の突起部９’が停止部８の下端部に掛止した状態を示す縦断面図である。
【図４】
図３の状態から、起動部５が上昇してストップ板７に接して停止し、同時に板スプリング９の突起部９”が停止部８の上端部に掛止した状態を示す縦断面図である。
【図５】
本発明装置の一実施例で、立て掛け場所１０などに立て掛けた使用時の２態様を示す斜視図である。
【符号の説明】
１    杖本体
２    握り柄
３    取付部
３’  取付板
３”  ピン
４    支持アーム
４’  摩擦材
５    起動部
５’  手掛け部
６    ロッド
６’  ロッド取付部
６”  ロッド取付穴
７    ストップ板
８    停止部
８’  テーパ部
９    板スプリング
９’  突起部
９”  突起部
１０  立て掛け場所